【事件の表示】
　特許第６１７３９３１号発明「ヨウ化アルカリ金属またはヨウ化アルカリ土類金属の製造方法」の特許異議申立事件について、次のとおり決定する。
【結　論】
　特許第６１７３９３１号の特許請求の範囲を訂正請求書に添付された訂正特許請求の範囲のとおり、訂正後の請求項〔１−５〕について訂正することを認める。
　特許第６１７３９３１号の請求項１ないし５に係る特許を維持する。
【理　由】
第１　手続の経緯  
　特許第６１７３９３１号（以下、「本件特許」という。）についての出願は、平成２６年１月２３日の出願であって、平成２９年７月１４日に特許権の設定登録がなされ、その後、同年８月２日に特許掲載公報の発行がなされたところ、平成３０年２月１日に特許異議申立人の浜　俊彦（以下、単に「異議申立人」という。）により請求項１ないし５に係る特許について特許異議の申立てがなされ、同年５月２１日付けで特許権者に取消理由通知がなされ、特許権者より同年７月２０日に意見書及び訂正の請求（以下、「本件訂正請求」といい、この訂正請求による訂正を「本件訂正」という。）が提出され、これに対して、異議申立人より同年８月３０日に意見書が提出されたものである。  
  
第２　本件訂正の適否についての判断  
１　本件訂正の内容  
ア　訂正事項１
　特許請求の範囲の請求項１に、「粉末状のヨウ化アルカリ金属またはヨウ化アルカリ土類金属を製造するヨウ化アルカリ金属またはヨウ化アルカリ土類金属の製造方法であって、
　溶媒中にヨウ化アルカリ金属またはヨウ化アルカリ土類金属が溶解または懸濁されている、ヨウ化アルカリ金属溶液、ヨウ化アルカリ土類金属溶液、ヨウ化アルカリ金属懸濁液またはヨウ化アルカリ土類金属懸濁液から当該溶媒を除去しながらヨウ化アルカリ金属またはヨウ化アルカリ土類金属を粉砕する除去粉砕工程を含むことを特徴とするヨウ化アルカリ金属またはヨウ化アルカリ土類金属の製造方法。」とあるのを、
「粉末状のヨウ化アルカリ金属またはヨウ化アルカリ土類金属を製造するヨウ化アルカリ金属またはヨウ化アルカリ土類金属の製造方法であって、
　溶媒中にヨウ化アルカリ金属またはヨウ化アルカリ土類金属が溶解または懸濁されている、ヨウ化アルカリ金属溶液、ヨウ化アルカリ土類金属溶液、ヨウ化アルカリ金属懸濁液またはヨウ化アルカリ土類金属懸濁液から当該溶媒を除去しながらヨウ化アルカリ金属またはヨウ化アルカリ土類金属を粉砕する除去粉砕工程を含み、
　上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行い、
　上記容器、および回転翼を備えた乾燥機が、粉砕式濃縮乾燥機又は薄膜式蒸発乾燥機であり、
　上記除去粉砕工程における減圧条件が３０ｋＰａ以下であり、加熱条件が、１００℃以上、２５０℃以下であることを特徴とするヨウ化アルカリ金属またはヨウ化アルカリ土類金属の製造方法。」に訂正する。
　
イ　訂正事項２
　特許請求の範囲の請求項２に、「上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行うことを特徴とする請求項１に記載のヨウ化アルカリ金属またはヨウ化アルカリ土類金属の製造方法。」とあるのを、
「上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行ない、
　上記容器、および上記回転翼の材質がチタンであることを特徴とする請求項１に記載のヨウ化アルカリ金属またはヨウ化アルカリ土類金属の製造方法。」に訂正する。
　
２　訂正の適否 
２−１　訂正事項が全ての訂正要件に適合しているか否かについて 
ア　訂正事項１
ａ　訂正の目的について
　上記訂正事項１は、請求項１における「除去粉砕工程」を、「・・・容器の内面に付着した固形物を回転翼によって掻き取りながら、上記溶媒の除去およびヨウ化アルカリ金属またはヨウ化アルカリ土類金属の粉砕を行う」と減縮し、さらに「容器、および回転翼を備えた乾燥機が、粉砕式濃縮乾燥機又は薄膜式蒸発乾燥機である」と減縮し、上記除去粉砕工程における「減圧条件が３０ｋＰａ以下であり、加熱条件が、１００℃以上、２５０℃以下である」と限定するものであるから、当該訂正事項１は、特許法第１２０条の５第２項ただし書き第１号に規定されている特許請求の範囲を減縮するものである。
　
ｂ　実質上特許請求の範囲を拡張し、又は変更する訂正ではないこと
　上記ａの理由から明らかなように、上記訂正事項１は、「除去粉砕工程」において、「容器の内面に付着した固形物を回転翼によって掻き取りながら、上記溶媒の除去およびヨウ化アルカリ金属またはヨウ化アルカリ土類金属の粉砕を行う」と限定し、さらに「除去粉砕工程」において用いられる容器および回転翼を備えた乾燥機を限定し、「除去粉砕工程」における減圧条件及び加熱条件を限定することによって、発明の範囲を限定するものであり、実質上特許請求の範囲を拡張し、又は変更するものには該当せず、特許法第１２０条の５第９項で準用する特許法第１２６条第６項に適合するものである。
　
ｃ　願書に添付した明細書、特許請求の範囲に記載した事項の範囲内の訂正であること
　訂正前の請求項２、及び本件の出願当初明細書の【００１４】において、「除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行う」ことが記載されている。
　また、本件の出願当初明細書の【００５５】には「上記容器および上記回転翼を備えた市販の装置としては、例えば、粉砕式濃縮乾燥機（トリプルマスター、品川工業所製）、薄膜式蒸発乾燥機（ハイエバオレーター、櫻製作所製）等が挙げられる」と記載されている。
　また、本件の出願当初明細書の【００６２】には、「除去粉砕工程を行なう際の好ましい減圧条件は、３０ｋＰａ以下あることが好ましい」ことが記載されており、本件の出願当初明細書の【００６３】には、除去粉砕工程が「減圧条件下において、１００℃以上、３５０℃以下の温度で行われることが好ましい」ことが記載されており、本件の出願当初明細書の【００９６】には「天板温度が２５０℃では、６０分間乾燥を続けたことにより乾燥が進み、ヨウ化リチウムはほぼ結晶化した」ことが記載されている。
　従って、訂正事項１は、願書に添付した明細書、特許請求の範囲に記載した事項の範囲内の訂正であり、特許法第１２０条の５第９項で準用する特許法第１２６条第５項に適合するものである。
　
イ　訂正事項２
ａ　訂正の目的について
　上記訂正事項２は、請求項２における「除去粉砕工程」において用いられる容器および回転翼の材質をチタンに減縮するものであるから、当該訂正事項１は、特許法第１２０条の５第２項ただし書き第１号に規定されている特許請求の範囲を限定するものである。
　
ｂ　実質上特許請求の範囲を拡張し、又は変更する訂正ではないこと
　上記ａの理由から明らかなように、上記訂正事項２は、「除去粉砕工程」において用いられる容器および回転翼の材質をチタンに減縮することにより発明の範囲を限定するものであり、実質上特許請求の範囲を拡張し、又は変更するものには該当せず、特許法第１２０条の５第９項で準用する特許法第１２６条第６項に適合するものである。
　
ｃ　願書に添付した明細書、特許請求の範囲に記載した事項の範囲内の訂正であること
　本件の出願当初明細書の【００５２】には「粉砕する際の容器および回転翼の材質としては、例えば、ＳＵＳ、ハステロイ、グラスライニング、セラミック、チタン等が挙げられ、特に、チタンが好ましい」ことが記載されている。
　従って、訂正事項２は、願書に添付した明細書、特許請求の範囲に記載した事項の範囲内の訂正であり、特許法第１２０条の５第９項で準用する特許法第１２６条第５項に適合するものである。
　
２−２　一群の請求項についての説明
　訂正前の請求項１の記載を訂正前の請求項２〜５がそれぞれ引用し、また、訂正前の請求項２の記載を訂正前の請求項３〜５がそれぞれ引用しているので、訂正事項１、２は、特許法第１２０条の５第４項に規定する一群の請求項１〜５について請求されたものである。
　
２−３　特許出願の際に独立して特許を受けることができること 
　本件においては、訂正前の全ての請求項１〜５について特許異議申立てがなされているので、特許法第１２０条の５第９項で読み替えて準用する特許法第１２６条第７項の独立特許要件は課されない。 
 　 
２−４　小括　 
　上記のとおり、本件訂正は、特許法第１２０条の５第４項に規定する一群の請求項１〜５について請求されたものであり、また、特許法１２０条の５第２項ただし書き１号に掲げる事項を目的とするものであり、かつ、同条９項において準用する同法１２６条５項及び６項の規定に適合するものである。
　したがって、訂正後の〔１−５〕について訂正を認める。 
　
第３　本件請求項に係る発明  
　前記「第２」で示したとおり、本件訂正は適法になされたものであるから、本件特許の請求項１ないし５に係る発明（以下、「本件発明１」ないし「本件発明５」という。）は、本件訂正後の特許請求の範囲の請求項１ないし５に記載された以下の事項により特定されるものと認める。（当審注：下線は、訂正箇所を示し、特許権者が付与した。）  
「【請求項１】
　粉末状のヨウ化アルカリ金属またはヨウ化アルカリ土類金属を製造するヨウ化アルカリ金属またはヨウ化アルカリ土類金属の製造方法であって、
　溶媒中にヨウ化アルカリ金属またはヨウ化アルカリ土類金属が溶解または懸濁されている、ヨウ化アルカリ金属溶液、ヨウ化アルカリ土類金属溶液、ヨウ化アルカリ金属懸濁液またはヨウ化アルカリ土類金属懸濁液から当該溶媒を除去しながらヨウ化アルカリ金属またはヨウ化アルカリ土類金属を粉砕する除去粉砕工程を含
み、
　
上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行い、
　上記容器、および回転翼を備えた乾燥機が、粉砕式濃縮乾燥機又は薄膜式蒸発乾煥機であり、
　上記除去粉砕工程における減圧条件が３０ｋｐａ以下であり、加熱条件が、１００℃以上、２５０℃以下である
【請求項２】
　上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行
ない、
　
上記容器、および上記回転翼の材質がチタンである
【請求項３】
　上記除去粉砕工程によって得られる粉末状のヨウ化アルカリ金属またはヨウ化アルカリ土類金属の粒子径が５ｍｍ以下であることを特徴とする請求項１または請求項２に記載のヨウ化アルカリ金属またはヨウ化アルカリ土類金属の製造方法。
【請求項４】
　上記ヨウ化アルカリ金属溶液、ヨウ化アルカリ土類金属溶液、ヨウ化アルカリ金属懸濁液、またはヨウ化アルカリ土類金属懸濁液は、アルカリ金属化合物またはアルカリ土類金属化合物とヨウ化物とを溶媒中で反応させる反応工程により生成されたものであることを特徴とする請求項１〜３の何れか一項に記載のヨウ化アルカリ金属またはヨウ化アルカリ土類金属の製造方法。
【請求項５】
　上記反応工程に用いられる上記溶媒は水であることを特徴とする請求項４に記載のヨウ化アルカリ金属またはヨウ化アルカリ土類金属の製造方法。」
　
第４　申立理由および取消理由
　異議申立人は、甲第１号証ないし甲第１２号証を証拠方法として提出すると共に、理由１ないし４を申立理由として主張し、当審では、理由５ないし理由８を取消理由として通知した。  
　　・甲第１号証：中国特許出願公開第１０１５６５１９２号明細書  
　　・甲第１号証（抄訳）
　　・甲第２号証：社団法人日本化学会編，第５版実験化学講座２３−無機
　　　　　　　　　化合物−，丸善株式会社発行，平成１７年３月１０日，
　　　　　　　　　ｐ．３２２
　　・甲第３号証：特開２０１１−３３２４１号公報  
　　・甲第４号証：特開平６−３０４４０１号公報
　　・甲第５号証：特開平５−２６４７９２号公報
　　・甲第６号証：特開平５−３３１４９６号公報
　　・甲第７号証：特開２００１−１５２１９５号公報
　　・甲第８号証：半田裕利、戸嶋大輔，ＰＶミキサーの紹介，神鋼パンテ
　　　　　　　　　ック技報，２０００．３，Ｖｏｌ．４３．Ｎｏ．２，
　　　　　　　　　ｐ．７３−８１
　　・甲第９号証：戸嶋大輔，山崎忠成，翼加熱型ＳＶミキサーの開発、神
　　　　　　　　　鋼パンテック技報，２００１．２，Ｖｏｌ．４４．
　　　　　　　　　Ｎｏ．２，ｐ．４０−４５
　　・甲第１０号証：国際公開第２００９／０９６４４６号  
　　・甲第１１号証：特開２００５−４７７６４号公報
　　・甲第１２号証：財団法人日本規格協会編，ＪＩＳ工業用語大辞典【第
　　　　　　　　　　５版】，財団法人日本規格協会発行，２００１年３月
　　　　　　　　　　３０日，ｐ．２０６４の「粉末」の項目
　
（１）理由１：特許法第２９条第１項第３号および特許法第２９条第２項
　訂正前の本件発明１〜３は、甲第１号証に記載された発明であるから、特許法第２９条第１項第３号の規定に該当し、特許を受けることができない発明である。 
　同本件発明１〜５は、甲第１、１０、１１号証に記載された発明および技術常識に基いて当業者が容易に発明をすることができたものであるから、特許法第２９条第２項の規定により、特許を受けることができない発明である。
　
（２）理由２：特許法第２９条第２項
　訂正前の本件発明１〜５は、甲第２、３〜１１号証に記載された発明および技術常識に基いて当業者が容易に発明をすることができたものであるから、特許法第２９条第２項の規定により、特許を受けることができない発明である。 
　
（３）理由３：特許法第３６条第４項第１号
　本件特許の発明の詳細な説明は、訂正前の本件発明１〜５の実施をすることができる程度に明確かつ十分に記載したものではないから、特許法３６条第４項第１号の規定に適合するものではないので、同本件発明１〜５は、特許を受けることができない発明である。
　
（４）理由４：特許法第３６条第６項第１号
　訂正前の本件請求項１〜５の記載は、本件の課題を解決できない態様（比較例２）を含むものであるから、特許法３６条第６項第１号の規定に適合するものではないので、同本件発明１〜５は、特許を受けることができない発明である。
　
（５）理由５：特許法第２９条第１項第３号
　訂正前の本件発明１は、甲第１号証に記載された発明であるから、特許法第２９条第１項第３号の規定に該当し、特許を受けることができない発明である。 
　
（６）理由６：特許法第２９条第２項
　訂正前の本件発明２は、甲第１号証に記載された発明および周知技術に基いて当業者が容易に発明をすることができたものであるから、特許法第２９条第２項の規定により、特許を受けることができない発明である。 
　
（７）理由７：特許法第２９条第１項第３号および特許法第２９条第２項
　訂正前の本件発明３〜５は、甲第１号証に記載された発明であるから、特許法第２９条第１項第３号の規定に該当し、もしくは、甲第１号証に記載された発明および周知技術に基いて当業者が容易に発明をすることができたものであるから、特許法第２９条第２項の規定により、特許を受けることができない発明である。 
 　 
（８）理由８：特許法３６条第６項第１号
　訂正前の本件請求項１および本件請求項２を引用しない本件請求項３〜５の記載は、当業者が本件の課題を解決することができると認識する範囲を超えるものであるから、特許法３６条第６項第１号の規定に適合するものではないので、同本件発明１および本件発明２を引用しない本件発明３〜５は、特許を受けることができない発明である。
　
第５　甲各号証に記載の事項 
第５−１　甲第１号証に記載の事項 
（中国特許出願公開明細書には、外字が多数存在するため、明細書の本文の摘示は行わず、異議申立人による訳のみを示す。）
（甲１−１）「（１）純度９９．９９９％の水酸化リチウム１５０ｇを取って２０００ｍｌのフラスコに入れ、更に濃度４５．５．％の分析用純ヨウ化水素酸約５００ｍｌを添加し、攪拌して十分に反応させ、溶液のｐＨ値を６．５とし、その後更に少量のアンモニア水を添加して溶液のｐＨ値を８．０に調整し、不純物をろ過し、ろ液を濃縮して再結晶し、得られた結晶を水中に溶解し、ヨウ化リチウム水溶液を得る；」（明細書１０頁１〜４行）
　
（甲１−２）「（２）ヨウ化リチウム水溶液をチタン樽中に置いて、ヨウ化リチウム水溶液にアルゴンを通し、ブレード攪拌機を用いた攪拌状態下で、チタン樽内のヨウ化リチウム水溶液を加熱し、１０℃／ｍｉｎの加熱速度で加熱し、２５０℃まで昇温した後樽内に粉体が現れ始め、昇温し続けて２８０℃に至り、溶液が粉体に変わるまでこの温度を保持し、その後除々に温度を下げて室温に至り、０．５個の結晶水を含むヨウ化リチウム粉末として約１８０ｇの粉末を得た；」（明細書１０頁５〜９行）
　
（甲１−３）「（１）純度９９．９９９％の
炭酸リチウム
炭酸リチウム
　
（甲１−４）「（２）ヨウ化リチウム水溶液をチタン樽中に置いて、ヨウ化リチウム水溶液にアルゴンを通し、ブレード攪拌機を用いた攪拌状態下で、チタン樽内のヨウ化リチウム水溶液を加熱し、１０℃／ｍｉｎの加熱速度で加熱し、２５０℃まで昇温した後樽内に粉体が現れ始め、昇温し続けて２８０℃に至り、溶液が粉体に変わるまでこの温度を保持し、その後除々に温度を下げて室温に至り、０．５個の結晶水を含むヨウ化リチウム粉末として約１８０ｇの粉末を得た；」（明細書１１頁３〜８行）
　
第５−２　甲第２号証に記載の事項 
（甲２−１）「　ヨウ化リチウム［ｌｉｔｈｉｕｍ　ｉｏｄｉｄｅ］ＬｉＩ
　【製法】３９）　ＬｉＩは通常水和物として市販されている。無水物は次のようにして得られる。
　過剰の（ＮＨ４）２ＣＯ３の水溶液をＬｉＯＨのそれに加え沈殿物をろ過（当審注：「”さんずい”および”戸”からなる漢字を「ろ」で代用した。以下、同じ。）後，これを２００℃で数時間乾しＬｉ２ＣＯ３を得る。次に，アルゴン雰囲気中，蒸留精製したヨウ化水素酸を上記のＬｉ２ＣＯ３と反応させたのち，生成物を蒸留水に溶解する。ここで，過剰のＬｉ２ＣＯ３は溶解しないのでろ別し，ろ液を８５℃で加熱濃縮することで固化させ，さらに真空中，１２０℃で乾燥する。得られた無水ＬｉＩは密封容器またはドライボックス中に保管する。高純度のＬｉＩを得るには，Ｌｉ２ＣＯ３をさらに精製する。」（３２２頁９〜１７行）
　
第５−３　甲第３号証ないし甲第１２号証に記載の事項
・甲３号証には、【請求項１】、【０００５】、【００１５】、【００３５】等からして、遠心式薄膜乾燥機を用いて、例えば、ホウ酸ナトリウム系水溶液を粉体化することの記載がある。
　
・甲第４号証には、【請求項１】、【００２５】、【００２６】、【００３１】等からして、遠心式薄膜乾燥機を用いて、例えば、硫酸ナトリウムを主成分とする廃液から粉体を得ることの記載がある。
　
・甲第５号証には、【００５１】、【００５３】等からして、遠心式薄膜乾燥機を用いて、例えば、Ｃ−１４を含む炭酸ソーダ０.１ｗｔ％、硫酸ソーダ９ｗｔ％、酸化鉄０.９ｗｔ％からなる濃度１０％の模擬濃縮廃液から平均粒径約５０μｍの粉末を得ることの記載がある。
　
・甲第６号証には、【０００２】〜【０００５】、【００１２】、【００１９】〜【００２１】、【００３０】【表１】等からして、回転薄膜蒸発機を用いて、アニオン活性剤を含有する水スラリーからアニオン活性粉粒体を製造することの記載がある。
　
・甲第７号証には、【請求項１】、【請求項２】、【０００２】、【０００７】、【００１７】、【００１８】、【００２５】、【００２６】、【００３６】【表２】等からして、回転薄膜蒸発機を用いて、アルキル硫酸エステル塩と炭酸ナトリウムとを含有する水スラリーからアルキル硫酸エステル塩粉粒体を製造することの記載がある。
　
・甲第８号証には、「まえがき
　当社では粉体混合乾燥機として、ＳＶミキサー，コニカルドライヤ，フィルタドライヤがあり，医薬中間体，化成品をはじめ幅広い分野で使用されている。特に粉体機器の主力製品であるＳＶミキサーは，自公転の遊星運動によりマイルドに粉体を混合するため，粒子破壊が少なく壊れやすい物質の混合や攪拌熱の発生が少ないため熱に敏感な物質の混合乾燥に有効である。」（７３頁左欄下から８行〜同右欄下から８行）、
「１　ＰＶミキサーの特長
　・・・（中略）・・
）内容物を全体に循環混合するため，短時間に混合乾燥が行える。また，缶壁での流動状態が良いため，缶壁での付着が少なく外套からの熱伝熱性に優れている。
　・・・（中略）・・
（３）　缶壁での付着が少ない
　ＰＶミキサーは粉体を缶内全体で循環混合するため壁面での粉体の動きが速く缶壁に内容物が付着しにくい。ＳＶミキサーではスクリューと缶壁との間のクリアランス部で粉体層を形成し伝熱効率が低下する場合が多い。」（７４頁左欄１６行〜同右欄下から８行）、第１図、第３図等からして、ＰＶミキサーは、粉体を缶内全体で循環混合するため壁面での粉体の動きが速く缶壁に内容物が付着しにくいものであり、また、ＳＶミキサーは、スクリューと缶壁との間のクリアランス部で粉体層が形成されやすいものの、マイルドに粉体を混合するため、粒子破壊が少ない混合攪拌が行われるものであり、さらに、粉体混合乾燥機として、ＰＶミキサー、ＳＶミキサーの他に「Ｄｏｕｂｌｅ　ｒｉｂｂｏｎ　ｉｍｐｅｌｌｅｒ」などを用いることの記載がある。
　
・甲第９号証には、４０頁左欄下から１２行〜同右欄下から１１行、４５頁左欄９〜１５行、第１図等からして、ＳＶミキサーについて、甲第８号証と同様の記載がある。
　
・甲第１０号証には、［０１３１］〜［０１３３］、［０１４１］、［０２２０］、［０２２１］等からして、例えば、エバポレータによる減圧濃縮乾燥、または凍結乾燥などにより、無機ヨウ化物溶液から無機ヨウ化物を固体として得ることの記載がある。
　
・甲第１１号証には、【０００３】、【００３７】等からして、金属ヨウ化物の水溶液を濃縮し、一部の金属ヨウ化物を析出させ、濾別、乾燥、粉砕または全量乾固、粉砕して粉末の金属ヨウ化物を製造することの記載がある。
　
・甲第１２号証には、「粉末」とは、「最大寸法１ｍｍ以下の粒子の集合体」であるとの定義を示す記載がある。
　
第６　甲第１、２号証に記載の発明 
第６−１　甲第１号証に記載の発明 
　上記「第５−１　甲第１号証に記載の事項」からして、甲第１号証には、「ヨウ化アルカリ金属粉体の製造方法であって、ヨウ化リチウム水溶液をチタン樽中に置いて、ヨウ化リチウム水溶液にアルゴンを通し、ブレード攪拌機を用いた攪拌状態下で、チタン樽内のヨウ化リチウム水溶液を加熱し、１０℃／ｍｉｎの加熱速度で加熱し、２５０℃まで昇温し、さらに昇温し続けて２８０℃に至り、溶液が粉体に変わるまでこの温度を保持し、その後除々に温度を下げて室温に至り、０．５個の結晶水を含むヨウ化リチウム粉末を得る、ヨウ化アルカリ金属粉体の製造方法。」（以下、「甲１発明」という。）が記載されているものと認める。
　
第６−２　甲第２号証に記載の発明 
　上記「第５−２　甲第２号証に記載の事項」からして、甲第２号証には、「アルゴン雰囲気中、蒸留精製したヨウ化水素酸をＬｉ２ＣＯ３と反応させたのち、生成物を蒸留水に溶解した溶解液をろ別し、このろ別により得られたろ液を８５℃で加熱濃縮することで固化させ、さらに真空中、１２０℃で乾燥することで、無水ＬｉＩを得る、無水ＬｉＩの製造方法。」（以下、「甲２発明」という。）が記載されているものと認める。
　
第７　当審の判断
第７−１　新規性および進歩性について
（Ａ）甲１発明を主引用例とする場合（理由１、６、７、８）
　本件発明１と甲１発明とを対比すると、少なくとも、本件発明１は、「粉末状のヨウ化アルカイ金属」の「製造」において「ヨウ化アルカリ金属溶液」「またはヨウ化アルカリ土類金属懸濁液が入っている容器の内面に付着した固形物を回転翼によって掻き取りながら、溶媒の除去およびヨウ化アルカリ金属」「の粉砕を」「粉砕式濃縮乾燥機又は薄膜式蒸発乾煥機で」「行」なう「除去粉砕工程における減圧条件が３０ｋｐａ以下であり、加熱条件が、１００℃以上、２５０℃以下である」ことを発明特定事項にするのに対して、甲１発明は、「ヨウ化リチウム水溶液にアルゴンを通し、ブレード攪拌機を用いた攪拌状態下で、チタン樽内のヨウ化リチウム水溶液を加熱し、１０℃／ｍｉｎの加熱速度で加熱し、２５０℃まで昇温し、さらに昇温し続けて２８０℃に至り、溶液が粉体に変わるまでこの温度を保持し、その後除々に温度を下げて室温に至り、０．５個の結晶水を含むヨウ化リチウム粉末を得る」という点（以下、「相違点」という。）で相違する。
　上記より、本件発明１は、甲第１号証に記載された発明ではない。
　
　次に、上記相違点について検討する。
（ｉ）甲第２、１０ないし１２号証には、上記相違点に係る発明特定事項に関する記載も示唆もなく、また、上記「第５−３」で示したように、甲第８号証の「ＰＶミキサー」は、粉体を缶内全体で循環混合するため壁面での粉体の動きが速く缶壁に内容物が付着しにくいものであると共に、甲第８、９号証の「ＳＶミキサー」は、スクリューと缶壁との間のクリアランス部で粉体層が形成されやすいものの、マイルドに粉体を混合するため、粒子破壊が少ない混合攪拌が行われるものであることからして、両ミキサーは、上記発明特定事項における「容器の内面に付着した固形物を回転翼によって掻き取りながら粉砕を行う粉砕式濃縮乾燥機、薄膜式蒸発乾煥機」には当たらず、さらに、甲第８号証の「Ｄｏｕｂｌｅ　ｒｉｂｂｏｎ　ｉｍｐｅｌｌｅｒ」は、本件の比較例２の円錐形リボン混合乾燥機に相当するといえるところ、そもそも、本件特許の発明の詳細な説明において、比較例２の円錐形リボン混合乾燥機と実施例１の粉砕式濃縮乾燥機および実施例２の薄膜式蒸発乾煥機とは別の装置として認識（定義）されているといえることからして、甲第８号証の「Ｄｏｕｂｌｅ　ｒｉｂｂｏｎ　ｉｍｐｅｌｌｅｒ」も、比較例２の円錐形リボン混合乾燥機と同じく、上記発明特定事項における「粉砕式濃縮乾燥機、薄膜式蒸発乾煥機」には当たらないというべきである。
（ｉｉ）一方、甲第３ないし７号証には、上記発明特定事項における「粉砕式濃縮乾燥機、薄膜式蒸発乾煥機」に相当する乾燥機を用いて粉体を得る（製造する）ことの記載があり、また、一般に、粉砕式濃縮乾燥機、薄膜式蒸発乾煥機を用いて粉体を得る（製造する）ことは、本件特許に係る出願前の技術常識であるということができるものの、甲１発明は、上記で示したように、「ヨウ化リチウム水溶液にアルゴンを通し、ブレード攪拌機を用いた攪拌状態下で、チタン樽内のヨウ化リチウム水溶液を加熱し、１０℃／ｍｉｎの加熱速度で加熱し、２５０℃まで昇温し、さらに昇温し続けて２８０℃に至り、溶液が粉体に変わるまでこの温度を保持し、その後除々に温度を下げて室温に至」らせることで、「０．５個の結晶水を含むヨウ化リチウム粉末」を得ることができるものであり、仮に、甲第３ないし７号証に記載の上記技術常識を適用することで、ブレード攪拌機に代えて「粉砕式濃縮乾燥機、薄膜式蒸発乾煥機」を用いるとしても、その圧力条件および加熱条件が、３０ｋｐａ以下および（かつ）１００℃以上２５０℃以下になることを当業者が容易に想到し得るとはいえない。
（ｉｉｉ）上記（ｉ）（ｉｉ）より、上記相違点に係る発明特定事項を導き出すことは、甲１発明および甲第２ないし１２号証に記載の事項（上記技術常識）に基いて当業者が容易になし得ることであるとはいえない。
　よって、本件発明１は、理由１、６、７、８により取り消されるものではなく、また、本件発明２〜５は、本件発明１と同じく、上記発明特定事項を有するものであるので、同様に、理由１、６、７、８により取り消されるものではない。
　
（Ｂ）甲２発明を主引用例とする場合（理由２）
　本件発明１と甲２発明とを対比すると、少なくとも、本件発明１は、上記「（Ａ）」で示した甲１発明との相違点に係る発明特定事項を有するのに対して、甲２発明は、「ヨウ化水素酸をＬｉ２ＣＯ３と反応させたのち、生成物を蒸留水に溶解した溶解液（水溶液）をろ別し、このろ別により得られたろ液を８５℃で加熱濃縮することで固化させ、さらに真空中、１２０℃で乾燥することで、無水ＬｉＩを得る」という点（以下、「相違点’」という。）で相違する。
　以下、上記相違点’について検討する。
（α）甲第１、１０ないし１２号証には、上記相違点’に係る発明特定事項に関する記載も示唆もなく、また、上記「（Ａ）」の「（ｉ）」で示したように、甲第８号証の「ＰＶミキサー」「Ｄｏｕｂｌｅ　ｒｉｂｂｏｎ　ｉｍｐｅｌｌｅｒ」および甲第８、９号証の「ＳＶミキサー」は、上記発明特定事項における「容器の内面に付着した固形物を回転翼によって掻き取りながら粉砕を行う粉砕式濃縮乾燥機、薄膜式蒸発乾煥機」には当たらないというべきである。
（β）一方、甲第３ないし７号証には、上記発明特定事項における「粉砕式濃縮乾燥機、薄膜式蒸発乾煥機」に相当する乾燥機を用いて粉体を得る（製造する）ことの記載があり、また、一般に、粉砕式濃縮乾燥機、薄膜式蒸発乾煥機を用いて粉体を得る（製造する）ことは、本件特許に係る出願前の技術常識であるということができるものの、甲２発明は、上記で示したように、「ろ液を８５℃で加熱濃縮することで固化させ、さらに真空中、１２０℃で乾燥することで、無水ＬｉＩを得る」ものであることからして、粉砕を意図するものではないので、甲２発明と、甲第３ないし７号証に記載の上記技術常識とは、乾燥の際に粉砕を行うかどうかという前提技術において相違し、甲２発明に、甲第３ないし７号証に記載の上記技術常識を適用する動機付けはないというべきである。
（γ）上記（α）（β）より、当該相違点’に係る発明特定事項を導き出すことは、甲２発明および甲第１、３ないし１２号証に記載の事項（上記技術常識）に基いて当業者が容易になし得ることであるとはいえない。
　よって、本件発明１は、理由２により取り消されるものではなく、また、本件発明２〜５は、本件発明１と同じく、上記発明特定事項を有するものであるので、同様に、理由２により取り消されるものではない。
　
第７−２　実施可能要件（理由３）およびサポート要件（理由４、９）について
　理由３、４、９は、本件の課題を解決し得ない比較例２（円筒型リボン混合乾燥機）が、本件発明１〜５に包含されるものであることを前提（根拠）にするものであるといえるところ、そもそも、本件特許の発明の詳細な説明において、比較例２の円錐形リボン混合乾燥機と実施例１の粉砕式濃縮乾燥機および実施例２の薄膜式蒸発乾煥機とは別の装置として認識（定義）されている（本件発明１〜５に比較例２は包含されていない）といえ、また、本件訂正により、本件発明１〜５は、新たに「容器、および回転翼を備えた乾燥機が、粉砕式濃縮乾燥機又は薄膜式蒸発乾煥機であり、除去粉砕工程における減圧条件が３０ｋｐａ以下であり、加熱条件が、１００℃以上、２５０℃以下であること」を発明限定事項にするものとなり、さらに、本件特許の発明の詳細な説明には、除去粉砕工程（【００５１】ないし【００６７】）および実施例・比較例（【００６８】ないし【００７８】）等の記載があることからして、実施可能要件およびサポート要件の違反はないというべきである。
　したがって、本件発明１〜５は、理由３、４、９により取り消されるものではない。
　
第７−３　異議申立人の意見書における主張について
　異議申立人は、意見書において、「粉砕式濃縮乾燥機」および「薄膜式蒸発乾燥機」は、一般的に使用されている用語ではなく、また、本件特許の発明の詳細な説明の【００５５】【００７３】【００７５】には具体的装置の名称しか記載されていないことからして、どのような装置まで含むのか理解できないので、本件請求項１〜５の記載は、「粉砕式濃縮乾燥機」および「薄膜式蒸発乾燥機」との用語を明確化するものではなく、明確性要件を満たすものではない旨を主張している。
　ここで、本件特許の発明の詳細な説明の【００７３】【００７５】【００７８】において、「粉砕式濃縮乾燥機（実施例１）」および「薄膜式蒸発乾燥機（実施例２）」は、比較例２の円錐形リボン混合乾燥機とは異なる装置として、会社名および製品名が示されると共にその構造および機能も記載されているので、当業者にとってどのようなものであるか明確であるといわざるをえない。
　したがって、意見書における異議申立人の主張は、妥当性を欠くものであり、採用することはできない。
　
第８　むすび  
　以上のとおりであるから、申立理由および取消理由通知に記載した取消理由によっては、本件発明１ないし５に係る特許を取り消すことはできない。
　また、他に本件発明１ないし５に係る特許を取り消すべき理由を発見しない。  
　よって、結論のとおり決定する。
【異議決定日】
平成３０年１１月２７日（２０１８．１１．２７）
【訂正の要旨】
審決（決定）の【理由】欄参照。
（５７）【特許請求の範囲】
　【請求項１】
　粉末状のヨウ化アルカリ金属またはヨウ化アルカリ土類金属を製造するヨウ化アルカリ金属またはヨウ化アルカリ土類金属の製造方法であって、
　溶媒中にヨウ化アルカリ金属またはヨウ化アルカリ土類金属が溶解または懸濁されている、ヨウ化アルカリ金属溶液、ヨウ化アルカリ土類金属溶液、ヨウ化アルカリ金属懸濁液またはヨウ化アルカリ土類金属懸濁液から当該溶媒を除去しながらヨウ化アルカリ金属またはヨウ化アルカリ土類金属を粉砕する除去粉砕工程を含
み、
　
上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行い、
　
上記容器、および回転翼を備えた乾燥機が、粉砕式濃縮乾燥機又は薄膜式蒸発乾燥機であり、
　
上記除去粉砕工程における減圧条件が３０ｋＰａ以下であり、加熱条件が、１００℃以上、２５０℃以下である
　【請求項２】
　上記除去粉砕工程では、ヨウ化アルカリ金属溶液、ヨウ化アルカリ土類金属溶液、ヨウ化アルカリ金属懸濁液またはヨウ化アルカリ土類金属懸濁液が入っている容器の内面に付着した固形物を回転翼によって掻き取りながら、上記溶媒の除去およびヨウ化アルカリ金属またはヨウ化アルカリ土類金属の粉砕を行
ない、
　
上記容器、および上記回転翼の材質がチタンである
　【請求項３】
　上記除去粉砕工程によって得られる粉末状のヨウ化アルカリ金属またはヨウ化アルカリ土類金属の粒子径が５ｍｍ以下であることを特徴とする請求項１または請求項２に記載のヨウ化アルカリ金属またはヨウ化アルカリ土類金属の製造方法。
　【請求項４】
　上記ヨウ化アルカリ金属溶液、ヨウ化アルカリ土類金属溶液、ヨウ化アルカリ金属懸濁液、またはヨウ化アルカリ土類金属懸濁液は、アルカリ金属化合物またはアルカリ土類金属化合物とヨウ化物とを溶媒中で反応させる反応工程により生成されたものであることを特徴とする請求項１〜３の何れか一項に記載のヨウ化アルカリ金属またはヨウ化アルカリ土類金属の製造方法。
　【請求項５】
　上記反応工程に用いられる上記溶媒は水であることを特徴とする請求項４に記載のヨウ化アルカリ金属またはヨウ化アルカリ土類金属の製造方法。